(57)【要約】  強緊締性の第１の生地部２ａ−２ｄ，６ａ，６ｃと弱緊締性の第２の生地部４ａ−４e，６ｂを含むスポーツ用パンツ１であって、第１の生地部２ａ−２ｄ，６ａ，６ｃは骨盤及び下腹部を含む胴体周囲を覆い、前面よりも背面の方が高い位置にあり、第１の生地部の下部には弱緊締性の第２の生地部４ａ−４eが配置され、パンツ１の上端にはベルト部５ａ−５ｄがあり、ベルト部の背面５ｄ及び両側面５ａ，５ｃは第１の生地部で形成され、ベルト部の前面５ｂは第２の生地部で形成されている。これにより、下腹部及び腰の後部を含む胴体周囲のみ締め付け、骨盤を前傾させることが可能なスポーツ用パンツを提供する。
2019172028.tif 000002
【特許請求の範囲】
【請求項１】
強緊締性の第１の生地部と弱緊締性の第２の生地部を含むスポーツ用パンツであって、
前記第１の生地部は骨盤及び下腹部を含む胴体周囲を覆い、前面よりも背面の方が高い位置にあり、
前記第１の生地部の下部には弱緊締性の第２の生地部が配置され、
前記パンツの上端にはベルト部があり、前記ベルト部の背面及び両側面は第１の生地部で形成され、前記ベルト部の前面は第２の生地部で形成されていることを特徴とするスポーツ用パンツ。
【請求項２】
前記第１の生地部と第２の生地部との間であって、両側面から背面まで連続し、中臀筋の一部を覆う位置に中緊締性の第３の生地部が配置されている請求項１に記載のスポーツ用パンツ。
【請求項３】
前記第１の生地部は弾性糸を含むストレッチ織物であり、前記第２の生地部は弾性糸を含むストレッチ編物である請求項１又は２に記載のスポーツ用パンツ。
【請求項４】
前記第１の生地部は弾性糸を含むストレッチ織物が２枚積層された生地である請求項１〜３のいずれかに記載のスポーツ用パンツ。
【請求項５】
前記第２の生地部は、弾性糸を含むストレッチ編物１枚である請求項１〜４のいずれかに記載のスポーツ用パンツ。
【請求項６】
前記第３の生地部は、弾性糸を含むストレッチ織物１枚である請求項２〜５のいずれかに記載のスポーツ用パンツ。
【請求項７】
前記第１の生地部の背面の上端は骨盤の上端を超える位置であり、前面は上前腸骨棘と股下の間に位置し、かつ前記第１の生地部の体長方向の幅は前面よりも背面の方が広い請求項１〜６のいずれかに記載のスポーツ用パンツ。
【請求項８】
前記第１の生地部の初期縦弾性率（５%伸長時における荷重）は、前記第２の生地部の３倍以上である請求項１〜７のいずれかに記載のスポーツ用パンツ。
【請求項９】
前記第１の生地部は、背面中央上端部の方が前面中央上端部よりも６０ｍｍを超えて高い位置にある請求項１〜８のいずれかに記載のスポーツ用パンツ。
【発明の詳細な説明】
【技術分野】
【０００１】
本発明はスポーツ用パンツに関する。さらに好適にはマラソン、ランニング、ジョギング、散歩、バレーボール、野球、水泳等の様々なスポーツに適したパンツに関する。
【背景技術】
【０００２】
ランニング等のスポーツ用パンツは大臀部、太腿部、膝回り、ふくらはぎ部等の必要な筋肉に着圧パワーをかけたり、筋肉の振動を抑えたり、あるいは腰部を締めて姿勢制御する等の様々なコンプレッションタイプのタイツが知られている。従来例として、本出願人は特許文献１において、ウエストバッグのずれを防止するため、腰後部に滑り止め部材を配置することを提案した。また、スポーツ用タイツとしてはポリウレタン糸等の弾性糸を含む伸縮性編物生地を使用し、必要な個所には弾性の高い伸縮性編物生地を配置し、その他の箇所には弾性の低い伸縮性編物生地を配置する提案がある（例えば特許文献２〜４）。
【先行技術文献】
【特許文献】
【０００３】
【特許文献１】特開２０１５−１２７４６３号公報
【特許文献２】特開２００５−２２６２１７号公報
【特許文献３】特開２０１３−０６７９２６号公報
【特許文献４】ＷＯ２００９／０５０７６９号明細書
【発明の概要】
【発明が解決しようとする課題】
【０００４】
しかし、前記特許文献で提案されているパンツは、下腹部及び腰の後部を含む胴体周囲の締め付け力が低く、また従来のタイツは大腿部も締め付けてしまい、前記胴体周囲のみ締め付けることは困難であった。【０００５】
本発明は、前記従来の問題を解決するため、下腹部及び腰の後部を含む胴体周囲のみ締め付け、骨盤を前傾させることが可能なスポーツ用パンツを提供する。
【課題を解決するための手段】
【０００６】
本発明のスポーツ用パンツは、強緊締性の第１の生地部と弱緊締性の第２の生地部を含むスポーツ用パンツであって、前記第１の生地部は骨盤及び下腹部を含む胴体周囲を覆い、前面よりも背面の方が高い位置にあり、前記第１の生地部の下部には弱緊締性の第２の生地部が配置され、前記パンツの上端にはベルト部があり、前記ベルト部の背面及び両側面は第１の生地部で形成され、前記ベルト部の前面は第２の生地部で形成されていることを特徴とする。
【発明の効果】
【０００７】
本発明は、強緊締性の第１の生地部と弱緊締性の第２の生地部を含み、前記第１の生地部は骨盤及び下腹部を含む胴体周囲を覆い、前面よりも背面の方が高い位置にあり、前記第１の生地部の下部には弱緊締性の第２の生地部が配置され、前記パンツの上端にはベルト部があり、背面及び両側面は第１の生地部で形成され、前面は第２の生地部で形成されていることにより、下腹部及び腰の後部を含む胴体周囲のみ締め付け、骨盤を前傾させることが可能なスポーツ用パンツを提供できる。すなわち、スポーツ時には臀部から脚部の筋肉はフリー状態に保たれ、自由な動きができ、下腹部及び腰の後部を含む胴体周囲は固定され、骨盤の前傾姿勢を保つことができる。
【図面の簡単な説明】
【０００８】
【図１】図１Ａは本発明の一実施形態のスポーツ用パンツの正面図、図１Ｂは同側面図、図１Ｃは同背面図である。
【図２】図２Ａは本発明の別の実施形態のスポーツ用パンツの正面図、図２Ｂは同側面図、図２Ｃは同背面図である。
【図３】図３は本発明の一実施例で使用したストレッチ織物の荷重−伸長率を示すグラフである。
【図４】図４は本発明の一実施例で使用したストレッチ編物の荷重−伸長率を示すグラフである。
【発明を実施するための形態】
【０００９】
本発明のスポーツ用パンツは、強緊締性の第１の生地部及び弱緊締性の第２の生地部で少なくとも構成される。第１の生地部は骨盤及び下腹部を含む胴体周囲を覆い、前面よりも背面の方が高い位置にある。第１の生地部の下部には弱緊締性の第２の生地部が配置される。パンツの上端にはベルト部があり、背面及び両側面は第１の生地部で形成され、前面は第２の生地部で形成されている。これにより、下腹部及び腰の後部を含む胴体周囲を締め付ける。さらに、骨盤を前傾させ、前記骨盤の前傾姿勢を保つことができる。また、第１の生地部の下部には弱緊締性の第２の生地部が配置されていることにより、大殿筋と股間を含む下腹部の大きな動きを阻害しない。
【００１０】
第１の生地部と第２の生地部との間であって、両側面から背面まで連続し、中臀筋の一部を覆う位置に中緊締性の第３の生地部が配置されていてもよい。これにより、中臀筋の大きな動きを妨げない。この実施態様は女性用に好適であり、男性用はこの部分も強緊締性の第１の生地部としてもよい。
【００１１】
第１の生地部は弾性糸を含むストレッチ織物であり、前記第２の生地部は弾性糸を含むストレッチ編物であるのが好ましい。織物は薄くて質量（目付）も軽く、ストレッチパワー（緊締性）も高く、骨盤の前傾姿勢を保つのに好適である。編物は臀部から脚部の筋肉をフリー状態に保ち、自由な動きを保つのに好適である。
【００１２】
第１の生地部は、弾性糸を含むストレッチ織物が２枚積層された生地部であるのが好ましい。ストレッチ織物を２枚積層すると強い緊締性を出せる。弾性糸を含めることで伸びを出しやすく、スポーツによる筋肉の動きに追従しやすい。
【００１３】
第２の生地部は、弾性糸を含むストレッチ編物１枚であるのが好ましい。編物１枚であれば弱緊締性を出すのが容易で、大殿筋と股間を含む下腹部の大きな動きを阻害しない。
【００１４】
第３の生地部は、弾性糸を含むストレッチ織物１枚であるのが好ましい。第３の生地部は中臀筋の一部を覆う位置に配置することにより、中臀筋の大きな動きを妨げない。
【００１５】
荷重１７．６Ｎにおける各生地部の伸長率は、第１の生地部の伸長率（Ｓ１）がタテ２０〜３０％、  ヨコ１０〜２０％、第２の生地部の伸長率（Ｓ２）がタテ１６０〜１９０％、ヨコ７０〜１００％、第３の生地部の伸長率（Ｓ３）がタテ３０〜６０％、ヨコ２０〜５０％であるのが好ましい。但し、Ｓ１≦Ｓ３＜Ｓ２の関係である。
また、第一生地部の領域で伸長率を変えてもよい。例えば骨盤の前傾姿勢を保ちつつ着用感をよくする目的で、２ｂ・２ｄの伸長率を２ａ・２ｃの伸長率より小さくしてもよい。但し、この場合でもＳ１≦Ｓ３＜Ｓ２の関係である。
【００１６】
第１の生地部の初期縦弾性率（5%伸長時の応力の傾き）は、第２の生地部の３倍以上であるのが好ましい。これにより、第１の生地部分は下腹部及び腰の後部を含む胴体周囲を締め付け、骨盤を前傾させ、骨盤の前傾姿勢を保つことができる。また、第２の生地部分は、大殿筋と股間を含む下腹部の大きな動きを阻害しない。
【００１７】
第１の生地部の背面の上端は骨盤の上端を超える位置であり、前面は上前腸骨棘と股下の間に位置し、かつ第１の生地部の体長方向の幅は前面よりも背面の方が広いのが好ましい。これにより、より強く骨盤の前傾姿勢を保つことができる。また、第１の生地部の背面の上端は骨盤の上端を超える位置とすることにより、前記パンツはスポーツ時の動きによってずり下がることはない。
【００１８】
第１の生地部は、背面中央上端部の方が前面中央上端部よりも６０ｍｍを超えて高い位置にあるのが好ましい。より好ましくは８０ｍｍ以上である。上限は１２０ｍｍ以下が好ましい。これにより、骨盤の前傾姿勢をより強く保つことができる。このため、パンツ上端のベルト部の背面及び両側面を第１の生地部で形成し、前面は第２の生地部で形成すると、前面中央上端部に比べて背面中央上端部をより高い位置に配置できる。
【００１９】
第１の生地部の単位面積当たりの質量（目付）は１００〜４００ｇ／ｍ2が好ましく、さらに好ましくは１５０〜３６０ｇ／ｍ2である。第２の生地部の目付は１００〜４００ｇ／ｍ2が好ましく、さらに好ましくは１５０〜３００ｇ／ｍ2である。第３の生地部の目付は、１００〜２２０ｇ／ｍ2が好ましく、さらに好ましくは１２０〜２００ｇ／ｍ2である。第１の生地部は第３の生地部を２枚積層して使用してもよい。目付が前記の範囲であれば、前記の範囲であれば軽量であり、スポーツ用パンツとして好適である。
【００２０】
パンツ上端のベルト部は、前面にウエストゴムを配置し、両側面と背面部にはウエストゴムを配置しなくてもよい。これにより、前面のウエストゴムの弾性によりパンツの着脱ができ、スポーツ時の動きによってずり下がることはない。なお、ベルト部には紐をつけてもよい。
【００２１】
パンツの裾の長さは、股下部から下にあればよく、股下部から下に向かって２〜１００ｃｍの長さであってもよい。
【００２２】
本発明において、第１及び第３の生地は織物が好ましく、例えば平織、綾織、朱子織等がある。第２の生地は編物が好ましく、例えば、丸編、ヨコ編、タテ編（トリコット編、ラッセル編を含む）、パイル編等を含み、平編、天竺編、リブ編、スムース編（両面編）、ゴム編、パール編、デンビー組織、コード組織、アトラス組織、鎖組織、挿入組織等がある。第１〜３の生地に用いる繊維は、ポリエチレンテレフタレート（ポリエステル）フィラメント糸、同紡績糸、ナイロンフィラメント糸、同紡績糸、ポリウレタンフィラメント糸（弾性糸）あるいはこれらの組み合わせが好ましい。弾性糸の周囲に非弾性糸を巻き付けたカバーリングヤーンとしてもよい。第１〜第３の生地は、縫製によってパンツとする。
【００２３】
骨盤サポートによる作用効果は、骨盤を前傾させると重心位置が前に、足圧中心がつま先方向になる。また、静姿勢で骨盤を後傾、中間位、前傾にした時に重心位置が変化するが、背骨を湾曲させずに上体を前方に傾斜できる。骨盤前傾により、腿が前上方にあがりにくくなり、脚の斜め後方への蹴り出しが強く大きくなる。この結果、骨盤前傾により、腿が前上方にあがりにくくなり、脚の斜め後方への蹴り出しが強く大きくなり、脚を後方に振り出す最大伸展可動域が大きくなる。また、斜め下方に蹴った反動で股関節の最大伸展が起こり、その影響で大腰筋などの筋肉が急激に縮まる。大腰筋は伸ばされながら力を発揮する（伸張性収縮）のが得意な筋肉であり、この瞬間に最大のパフォーマンス（力）を発揮する。以上のように、本発明のパンツは骨盤を前傾させ、これにより筋肉の直進、回転、ヨコ動きなど様々な動きを促進させることができる。
【００２４】
以下図面を用いて説明する。以下の図面において同一符号は同一物を示す。図１Ａは本発明の一実施形態のスポーツ用パンツの正面図、図１Ｂは同側面図、図１Ｃは同背面図である。スポーツ用パンツ１は、強緊締性の第１の生地部２ａ−２ｄが骨盤及び下腹部を含む胴体周囲を覆っている。パンツ１の下部は弱緊締性の第２の生地部４ａ−４eが配置されている。このパンツ１の上端にはベルト部５ａ−５ｄがあり、背面のベルト部５ｄ，及び両側面のベルト部５ａ，５ｃは第１の生地部で形成され、前面のベルト部５ｂは第２の生地部で形成されている。ベルト部５ａ、５ｃは、強緊締性の第１の生地部６ａ、６ｃが折り返されて袋状に形成されており、ベルト部５ｄは強緊締性の第１の生地部２ｄが折り返されて袋状に形成されている。ベルト部５ｂは弱緊締性の第２の生地部６ｂが折り返されて袋状に形成されている。弾性ゴムが入っているのは前面のベルト部５ｂであり、他のベルト部５ａ，５ｃ，５ｄには弾性ゴムは入っていない。ベルト部５ａ−５ｄには紐１０が挿入されている。７は裾部である。このスポーツ用パンツ１はコアインナーパンツとして有用である。
【００２５】
強緊締性の第１の生地部２ａ，２ｃと弱緊締性の第２の生地部４a，４ｅとの間には、女性用の場合は中緊締性の第３の生地部３ａ，３ｂを配置するのが好ましい。男性用の場合は３ａ，３ｂの部分に強緊締性の第１の生地部を配置するのが好ましい。
【００２６】
図２は本発明の別の実施形態のスポーツ用パンツ８の正面図である。図１のパンツと異なる点は、前部の股合わせ部の縫製線９が体長方向に１本となっている点である。このパンツは主に女性用として好適であるが、男性用としても使用できる。
【実施例】
【００２７】
以下実施例を用いてさらに具体的に説明する。なお、本発明は下記の実施例に限定して解釈されるものではない。【００２８】
（実施例１）
（１）第１の生地部
ポリエステル（ポリエチレンテレフタレート:PET）のマルチフィラメント糸（繊度85decitex,フィラメント数37本）８２質量％、ポリウレタンフィラメント糸（繊度４４decitex）１８質量％を使用し、平織物組織の織物を作成した。目付は１７０ｇ／ｍ2であった。この織物を２枚重ねて第１の生地部（目付３４０ｇ／ｍ2）とした。第１の生地部の伸長率は、荷重１７．６Ｎでタテ２５．１％、ヨコ１７．４％、周囲方向への初期縦弾性率は６５６×１０-6Ｎ／ｍ2であった。荷重−伸長率グラフを図３に示す。図３において、Ａ１は第１の生地部の身幅（体周）方向、Ａ２は同身丈（体長）方向である。
（２）第２の生地部
ポリエステル（ポリエチレンテレフタレート:PET）のマルチフィラメント糸（繊度４４decitex,フィラメント数１３ 本）８２質量％、ポリウレタンフィラメント糸（繊度４４decitex）１８質量％を使用し、トリコット組織の編物を作成した。目付は２２５ｇ／ｍ2であった。この編物は荷重１７．６Ｎで伸長率はタテ１７５％、ヨコ８５％、周囲方向への初期縦弾性率は８６×１０-6Ｎ／ｍ2であった。荷重−伸長率グラフを図４に示す。図４において、Ｂ１は第２の生地部の身丈（体長）方向、Ｂ２は同身幅（体周）方向である。
（３）第３の生地部
第３の生地部は第１の生地部を１枚で使用した（目付１７０ｇ／ｍ2）。第３の生地部の伸長率は、荷重１７．６Ｎでタテ４８％、ヨコ３３．６％、周囲方向への初期縦弾性率は５５８×１０-6Ｎ／ｍ2であった。荷重−伸長率グラフを図３のＣ１，Ｃ２に示す。Ｃ１は第１の生地部の身丈（体長）方向、Ｃ２は同身幅（体周）方向である。【００２９】
第１の生地、第２の生地及び第３の生地を使用して図１Ａ-Ｃに示すスポーツ用コアインナーパンツを縫製により作成した。ＪＡＳＰＯのＬサイズとした。股下部から背面のベルト部の上端部までの身丈３００ｍｍ、股下部から前面のベルト部の上端部までの身丈２４０ｍｍ、静置したときの腰幅３００ｍｍ、矢状（しじょう）面で、強緊締性の第１の生地部で構成される背面のベルト部５ｄの上端と、強緊締性の第１の生地部２ｂの上端の差は１１０ｍｍである。また、背面のベルト部５ｄと第１の生地部２ｄの身丈方向の合計幅は８５ｍｍ、第１の生地部２ｂの身丈方向の幅は５５ｍｍ、ベルト部５ａ−５ｄの幅は約３５ｍｍであった。このパンツの１着当たりの質量は８０ｇであった。【００３０】
このパンツは、スポーツ時には臀部から脚部の筋肉はフリー状態に保たれ、自由な動きができ、下腹部及び腰の後部を含む胴体周囲は固定され、前傾姿勢を保つことができた。【００３１】
（実施例２）
図２Ａ−Ｃに示すように、股合わせ部の縫製線９を１本にした以外は実施例１と同様にしてスポーツ用コアインナーパンツを縫製により作成した。このパンツもスポーツ時には臀部から脚部の筋肉はフリー状態に保たれ、自由な動きができ、下腹部及び腰の後部を含む胴体周囲は固定され、前傾姿勢を保つことができた。【００３２】
（比較例１）
比較例１として、実施例１の強緊締性の第１の生地部２ａ−２ｄ，６ａ−６ｃおよび、中緊締性の第３の生地部３ａ，３ｂを、弱緊締性の第２の生地に置換えてコアインナーパンツを縫製により作成し、実施例１および実施例２と前傾姿勢の比較を行った。【００３３】
実施例１および実施例２と、比較例１を着用し、矢状面における上前腸骨棘と上後腸骨棘を結んだラインと水平面のなす角度を骨盤前傾角度として測定したところ、表１のようになり、実施例１および実施例２のスポーツ用コアインナーパンツは、骨盤を前傾させた姿勢を取る事ができた。【００３４】
【表１】
2019172028.tif 000003
【産業上の利用可能性】
【００３５】
本発明のスポーツ用タイツは、マラソン、ランニング、ジョギング、散歩、バレーボール、野球、水泳等の様々なスポーツに好適である。とくに前傾姿勢を必要とするスポーツに好適である。
【符号の説明】
【００３６】
１，８  スポーツ用パンツ
２ａ−２ｄ，６ａ，６ｃ  強緊締性の第１の生地部
３ａ，３ｂ  中緊締性の第３の生地部
４ａ−４e，６ｂ  弱緊締性の第２の生地部
５ａ−５ｄ  ベルト部
７  裾部
９  股合わせ部の縫製線
【図１】
2019172028.tif 000004
【図２】
2019172028.tif 000005
【図３】
2019172028.tif 000006
【図４】
2019172028.tif 000007
【国際調査報告】
2019172028.tif 000008
2019172028.tif 000009
2019172028.tif 000010
2019172028.tif 000011